(57)【要約】【課題】  画像形成装置の装置本体の内部における温度が上昇した場合や、装置本体の内部が汚れた場合に、装置本体の内部を冷却させたり、装置本体の内部を清掃させたりすることが、簡単かつ安価に行えるようにする。【解決手段】  装置本体１に対して給紙カセット２が出し入れ可能に設けられた画像形成装置において、給紙カセット２を装置本体１内から取り出す際に、装置本体１外部の空気を給気する一方、給紙カセット２を装置本体１内に挿入させる際に、給気された装置本体１外部の空気を装置本体１内部に排気させる第１給排気手段２０を設けた。【選択図】  図２
2013148628.tif 000002
【特許請求の範囲】
【請求項１】
装置本体に対して給紙カセットが出し入れ可能に設けられた画像形成装置において、上記の給紙カセットを装置本体内から取り出す際に、装置本体外部の空気を給気する一方、給紙カセットを装置本体内に挿入させる際に、給気された装置本体外部の空気を装置本体内部に排気させる第１給排気手段が設けられたことを特徴とする画像形成装置。
【請求項２】
請求項１に記載の画像形成装置において、上記の第１給排気手段は、装置本体外部の空気を給気する際に拡張する一方、給気された装置本体外部の空気を装置本体内部に排気させる際に収縮することを特徴とする画像形成装置。
【請求項３】
請求項１又は請求項２に記載の画像形成装置において、上記の第１給排気手段によって装置本体外部から給気された空気を装置本体内部に排気させるにあたり、給気された装置本体外部の空気を装置本体内部の冷却を必要とする部分及び／又は清掃を必要とする部分に案内する案内路を設けたことを特徴とする画像形成装置。
【請求項４】
請求項１〜請求項３の何れか１項に記載の画像形成装置において、上記の第１給排気手段から装置本体内部に排気される装置本体外部の空気を一時的に貯留する貯留部を設けると共に、この貯留部に貯留された空気を装置本体内部に排気させるのを制御する制御手段を設けたことを特徴とする画像形成装置。
【請求項５】
装置本体に対して給紙カセットが出し入れ可能に設けられた画像形成装置において、上記の給紙カセットを装置本体内から取り出す際に、装置本体内部の空気を給気する一方、給紙カセットを装置本体内に挿入させる際に、給気された装置本体内部の空気を装置本体外部に排気させる第２給排気手段が設けられたことを特徴とする画像形成装置。
【請求項６】
請求項５に記載の画像形成装置において、上記の第２給排気手段は、装置本体内部の空気を給気する際に拡張する一方、給気された装置本体内部の空気を装置本体外部に排気させる際に収縮することを特徴とする画像形成装置。
【請求項７】
請求項１〜請求項４の何れか１項に記載の画像形成装置において、請求項５又は請求項６に記載の第２給排気手段を設けたことを特徴とする画像形成装置。
【発明の詳細な説明】
【技術分野】
【０００１】
本発明は、装置本体に対して給紙カセットが出し入れ可能に設けられた画像形成装置に関するものである。特に、装置本体の内部における温度が上昇した場合に、装置本体の内部を冷却させたり、装置本体の内部が汚れた場合に、装置本体の内部を清掃させたりすることが簡単かつ安価に行えるようにした点に特徴を有するものである。
【背景技術】
【０００２】
複写機、プリンター、ファクシミリ及びこれらの複合機からなる画像形成装置においては、感光体に形成された静電潜像にトナーを供給して現像を行う現像装置や、記録媒体に形成されたトナー画像を加熱定着させる定着装置等の部分において熱が発生して、画像形成装置の装置本体内部の温度が上昇し、これによって感光体の特性が変化したり、各装置の特性が変化したりして、安定した画像形成が行えなくなるという問題があった。
【０００３】
また、上記のような画像形成装置においては、感光体に形成された静電潜像に現像装置からトナーを供給して現像を行う際に、トナーが装置本体内に飛散したり、記録媒体として用いる記録紙から発生する紙粉等が装置本体内に飛散したりして、装置本体の内部が汚れ、画像形成に悪影響を及ぼすという問題があった。
【０００４】
そして、従来においては、特許文献１に示されるように、画像形成装置の装置本体内に軸流ファンを設けると共に、この軸流ファンの周囲に複数の整流板を配設し、上記の軸流ファンを回転させて吸気口から装置本体外部の空気を吸入し、この空気を装置本体内における画像形成ユニットに導いて、装置本体内を冷却させるようにしたものが提案されている。
【０００５】
しかし、上記のように画像形成装置の装置本体内に軸流ファンを設ける場合、設備コストやランニングコストが高くつくと共に、軸流ファンの回転によって騒音が発生する等の問題があった。
【０００６】
また、特許文献２に示されるものにおいては、送風ファンから送風ダクトの中に空気を吹き込み、この空気を送風ダクトに設けられた複数の空気吹き出し口から、装置本体内において浮遊物が付着する各部分に吹き付けて、装置本体内が汚れるのを抑制し、画像形成に悪影響を及ぼすのを防止することが示されている。
【０００７】
しかし、特許文献２に示されるものにおいても、送風ファンを設けるため、設備コストやランニングコストが高くつくと共に、送風ファンの回転によって騒音が発生する等の問題があった。
【先行技術文献】
【特許文献】
【０００８】
【特許文献１】特開２０１１−６４７４８号公報
【特許文献２】特開２００６−２７６１７５号公報
【発明の開示】
【発明が解決しようとする課題】
【０００９】
本発明は、複写機、プリンター、ファクシミリ及びこれらの複合機からなる画像形成装置において、装置本体の内部における温度が上昇した場合に、装置本体の内部を冷却させたり、装置本体の内部が汚れた場合に、装置本体の内部を清掃させたりする場合における上記のような問題を解決することを課題とするものである。
【００１０】
そして、本発明においては、装置本体に対して給紙カセットが出し入れ可能に設けられた画像形成装置において、出し入れされる給紙カセットを有効に利用し、従来のように、設備コストやランニングコストが高くついたり、騒音が発生したりすることがないようして、装置本体の内部を冷却させたり、装置本体の内部を清掃させたりすることが、簡単かつ安価に行えるようにすることを課題とするものである。
【課題を解決するための手段】
【００１１】
本発明に係る第１の画像形成装置においては、上記の課題を解決するため、装置本体に対して給紙カセットが出し入れ可能に設けられた画像形成装置において、上記の給紙カセットを装置本体内から取り出す際に、装置本体外部の空気を給気する一方、給紙カセットを装置本体内に挿入させる際に、給気された装置本体外部の空気を装置本体内部に排気させる第１給排気手段を設けた。
【００１２】
ここで、上記の第１給排気手段としては、装置本体外部の空気を給気する際に拡張する一方、給気された装置本体外部の空気を装置本体内部に排気させる際に収縮する拡張収縮部材等を用いることができる。
【００１３】
そして、上記の第１給排気手段によって給気された装置本体外部の空気を装置本体内部に排気させるにあたっては、給気された装置本体外部の空気を、装置本体内部の冷却を必要とする部分や、装置本体内部の清掃を必要とする部分に案内させる案内路を設けることができる。
【００１４】
また、上記の第１給排気手段から装置本体内部に排気される装置本体外部の空気を一時的に貯留する貯留部を設けると共に、この貯留部に貯留された空気を装置本体内部に排気させるのを制御する制御手段を設け、この制御手段により貯留部に貯留された空気を、適当なタイミングで装置本体内部に排気させるようにすることもできる。
【００１５】
また、本発明に係る第２の画像形成装置においては、装置本体に対して給紙カセットが出し入れ可能に設けられた画像形成装置において、上記の給紙カセットを装置本体内から取り出す際に、装置本体内部の空気を給気する一方、給紙カセットを装置本体内に挿入させる際に、給気された装置本体内部の空気を装置本体外部に排気させる第２給排気手段を設けた。
【００１６】
ここで、上記の第２給排気手段としては、装置本体内部の空気を給気する際に拡張する一方、給気された装置本体内部の空気を装置本体外部に排気させる際に収縮する拡張収縮部材等を用いることができる。
【００１７】
また、本発明の画像形成装置においては、上記の第１給排気手段と第２給排気手段とを併用させることもできる。
【発明の効果】
【００１８】
本発明の第１の画像形成装置においては、上記の第１給排気手段により、給紙カセットを装置本体内から取り出す際に、装置本体外部の空気を給気する一方、給紙カセットを装置本体内に挿入させる際に、給気された装置本体外部の空気を装置本体内部に排気させるようにしたため、従来のようにファン等を設けなくても、給紙カセットを出し入れする操作によって、簡単に装置本体外部の空気を給気させて装置本体内部に排気させることができる。
【００１９】
この結果、本発明の第１の画像形成装置においては、装置本体の内部を冷却させたり、装置本体の内部を清掃させたりするにあたり、従来のように、設備コストやランニングコストが高くついたり、騒音が発生したりすることがなく、装置本体の内部を冷却させたり、清掃させたりすることが、簡単かつ安価に行えるようになる。
【００２０】
また、本発明の第１の画像形成装置において、上記の第１給排気手段によって給気された装置本体外部の空気を装置本体内部に排気させるにあたり、給気された装置本体外部の空気を案内路を通して、装置本体内部の冷却を必要とする部分や、装置本体内部の清掃を必要とする部分に排気させるようにすると、装置本体の内部を冷却させたり、清掃させたりすることがより効率よく行えるようになる。
【００２１】
また、本発明に係る第２の画像形成装置においては、上記の第２給排気手段により、上記の給紙カセットを装置本体内から取り出す際に、装置本体内部の空気を給気する一方、給紙カセットを装置本体内に挿入させる際に、給気された装置本体内部の空気を装置本体外部に排気させるようにしたため、従来のようにファン等を設けなくても、給紙カセットを出し入れする操作によって、簡単に装置本体内部の空気を給気させて装置本体外部に排気させることができる。
【００２２】
この結果、本発明に係る第２の画像形成装置においては、装置本体内部における熱や埃を、装置本体内部から簡単に排気させることができるようになる。
【００２３】
また、本発明の画像形成装置において、上記の第１給排気手段と第２給排気手段とを併用させると、装置本体の内部を冷却させたり、装置本体の内部を清掃させたりする操作がより一層効率よく行えるようになる。
【図面の簡単な説明】
【００２４】
【図１】本発明の実施形態１に係る画像形成装置の例を示した概略説明図である。
【図２】上記の実施形態１に係る画像形成装置において、給紙カセットを装置本体内から引き出す場合に、第１給排気手段の第１拡張収縮部材が拡張されて、装置本体外部の空気がこの第１拡張収縮部材内に給気される状態を示した部分概略説明図である。
【図３】上記の実施形態１に係る画像形成装置において、給紙カセットを装置本体内に挿入させる場合に、第１給排気手段の第１拡張収縮部材が収縮されて、第１拡張収縮部材内に給気された装置本体外部の空気が、案内路を通して装置本体内部に排気される状態を示した部分概略説明図である。
【図４】上記の実施形態１に係る画像形成装置において、第１拡張収縮部材内に給気された装置本体外部の空気を一時的に貯留する貯留部を設けた変更例を示した部分概略説明図である。
【図５】本発明の実施形態２に係る画像形成装置において、給紙カセットを装置本体内から引き出す場合に、第２給排気手段の第２拡張収縮部材が拡張されて、装置本体内部の空気がこの第２拡張収縮部材内に給気される状態を示した部分概略説明図である。
【図６】上記の実施形態２に係る画像形成装置において、給紙カセットを装置本体内に挿入させる場合に、第２給排気手段の第２拡張収縮部材が収縮されて、第１拡張収縮部材内に給気された装置本体内部の空気が排気路からフィルターを通して装置本体外部に排気される状態を示した部分概略説明図である。
【図７】本発明の実施形態に係る画像形成装置において、装置本体内に第１給排気手段と第２給排気手段とを設けた状態を示した部分概略説明図である。
【発明を実施するための最良の形態】
【００２５】
次に、この発明の実施形態に係る画像形成装置を添付図面に基づいて具体的に説明する。なお、本発明に係る画像形成装置は、下記の実施形態に示したものに限定されず、その要旨を変更しない範囲において適宜変更して実施できるものである。
【００２６】
（実施形態１）
この実施形態１の画像形成装置においては、図１に示すように、その装置本体１の下部に、用紙Ｓを収容させた給紙カセット２を、装置本体１を示した紙面に対して垂直方向に出し入れ可能に設けている。
【００２７】
また、この画像形成装置においては、装置本体１の内部に４つのイメージングカートリッジ１０Ａ〜１０Ｄを装着させている。そして、上記の各イメージングカートリッジ１０Ａ〜１０Ｄには、感光体１１と、この感光体１１の表面を帯電させる帯電装置１２と、帯電された感光体１１の表面に画像情報に応じた露光を行って感光体１１の表面に静電潜像を形成する露光装置１３と、感光体１１の表面に形成された静電潜像にトナーを供給してトナー像を形成する現像装置１４と、感光体１１の表面に形成されたトナー像を中間転写ベルト３に転写させた後に残留するトナーを感光体１１の表面から除去するクリーニング装置１５とを設けている。
【００２８】
また、上記の各イメージングカートリッジ１０Ａ〜１０Ｄにおけるそれぞれの現像装置１４には、黒色，黄色，マゼンダ色，シアン色の色彩の異なったトナーを収容させている。
【００２９】
そして、この画像形成装置においては、上記の各イメージングカートリッジ１０Ａ〜１０Ｄにおいて、それぞれ感光体１１の表面を帯電装置１２によって帯電させ、このように帯電された各感光体１１の表面に、それぞれ露光装置１３によって画像情報に応じた露光を行い、各感光体１１の表面にそれぞれ画像情報に応じた静電潜像を形成し、このように各感光体１１の表面に形成された静電潜像に、上記の各現像装置１４からそれぞれの色彩のトナーを供給して、各感光体１１の表面にそれぞれの色彩のトナー像を形成するようにしている。
【００３０】
次いで、このように各イメージングカートリッジ１０Ａ〜１０Ｄにおける各感光体１１の表面に形成された各色彩のトナー像を中間転写ベルト３に順々に転写させて、この中間転写ベルト３の上にフルカラーのトナー像を形成すると共に、転写後の各感光体１１の表面に残留するトナーをそれぞれクリーニング装置１５によって各感光体１１の表面から除去するようにしている。
【００３１】
一方、上記の給紙カセット２に収容させた記録媒体Ｓを給紙ローラー４により給紙してタイミングローラー５に導き、このタイミングローラー５により記録媒体Ｓを適当なタイミングで上記の中間転写ベルト３と転写ローラー６との間に導いて、中間転写ベルト３上に形成された上記のフルカラーのトナー像をこの記録媒体Ｓに転写させるようにしている。そして、この記録媒体Ｓに転写されずに中間転写ベルト３上に残ったトナーを第２クリーニング装置７によって中間転写ベルト３から除去するようにしている。
【００３２】
また、上記のようにフルカラーのトナー像が転写された記録媒体Ｓを定着装置８に導き、この定着装置８により上記のフルカラーのトナー像をこの記録媒体Ｓに定着させた後、この記録媒体Ｓを排紙ローラー９により排紙させるようにしている。
【００３３】
ここで、この実施形態１における画像形成装置においては、図１〜図３に示すように、上記の給紙カセット２を装置本体１内から取り出す際に、装置本体１外部の空気を給気する一方、給紙カセット２を装置本体１内に挿入させる際に、給気された装置本体１外部の空気を装置本体１内部に排気させる第１給排気手段２０として、給紙カセット２の挿入方向先端側における装置本体１内に、給紙カセット２の出し入れにより拡張・収縮する蛇腹状になった第１拡張収縮部材２１を設けるようにしている。そして、この第１拡張収縮部材２１の内部に装置本体１外部の空気を導く外気導入路２２を、第１弁２３を介して第１拡張収縮部材２１に接続させると共に、この第１拡張収縮部材２１の内部に給気された空気を装置本体１内部の冷却を必要とする部分や清掃を必要とする部分に案内する案内路２４を、第２弁２５を介して第１拡張収縮部材２１に接続させている。
【００３４】
また、この実施形態の画像形成装置においては、上記の案内路２４を、図１に示すように、第１拡張収縮部材２１から上記の各イメージングカートリッジ１０Ａ〜１０Ｄに向けて設けるようにしている。
【００３５】
なお、この実施形態においては、給紙カセット２の出し入れにより拡張・収縮する蛇腹状になった第１拡張収縮部材２１を用いるようにしたが、第１拡張収縮部材２１はこのようなものに限定されず、給気時に拡張し、排気時に収縮するゴム風船のような部材を用いることもできる。
【００３６】
ここで、この実施形態の画像形成装置において、図２に示すように、給紙カセット２を装置本体１内から引き出す場合には、給紙カセット２により押されて収縮された状態になっていた第１拡張収縮部材２１が開放されて、この第１拡張収縮部材２１の内部に吸引力が作用し、これにより、上記の第１弁２３が開放される一方、上記の第２弁２５が閉じた状態になる。そして、上記の第１拡張収縮部材２１の吸引力により、上記の外気導入路２２を通して、この第１拡張収縮部材２１内に装置本体１外部の空気が給気され、この第１拡張収縮部材２１が拡張されて、装置本体１外部の空気が、この第１拡張収縮部材２１内に収容され、その後、上記の第１弁２３が閉じた状態になる。
【００３７】
一方、図３に示すように、給紙カセット２を装置本体１内に挿入させて装着させる場合には、拡張された状態にある上記の第１拡張収縮部材２１がこの給紙カセット２によって押され、この第１拡張収縮部材２１に圧力が加わり、これにより、上記の第１弁２３が閉じた状態で、上記の第２弁２５が開放される。そして、拡張された状態にある第１拡張収縮部材２１が収縮されて、この第１拡張収縮部材２１内に収容されていた装置本体１外部の空気が、上記の案内路２４を通して各イメージングカートリッジ１０Ａ〜１０Ｄに吹き付けられ、熱くなっていた各イメージングカートリッジ１０Ａ〜１０Ｄが冷却されると共に、各イメージングカートリッジ１０Ａ〜１０Ｄにおける埃等が除去されるようになる。
【００３８】
なお、この実施形態の画像形成装置においては、上記のように案内路２４を第１拡張収縮部材２１から上記の各イメージングカートリッジ１０Ａ〜１０Ｄに向けて設け、第１拡張収縮部材２１の内部に給気された装置本体１外部の空気を、この案内路２４を通して各イメージングカートリッジ１０Ａ〜１０Ｄに吹き付けるようにしたが、案内路２４を設ける位置はこのような位置に限定されず、第１拡張収縮部材２１から装置本体１の内部において冷却を必要とする他の部分や清掃を必要とする他の部分に向けて設けるようにすることができる。
【００３９】
また、この実施形態における画像形成装置においては、第１拡張収縮部材２１内に蓄積されていた装置本体１外部の空気を、この第１拡張収縮部材２１から案内路２４を通して直接各イメージングカートリッジ１０Ａ〜１０Ｄに吹き付けるようにしたが、図４に示すように、上記の第１拡張収縮部材２１内に蓄積されていた装置本体１外部の空気を一時的に貯留する貯留部２６を上記の案内路２４の途中に設けると共に、この貯留部２６に貯留された空気を装置本体１内部に排気させるのを制御する制御手段２７として、この貯留部２６の入口側と出口側とに開閉部材２７ａ，２７ｂを設けると共に、これらの開閉部材２７ａ，２７ｂの開閉を制御する制御装置２７ｃを設けるようにすることができる。なお、上記の貯留部２６としては、例えばゴム風船のように、第１拡張収縮部材２１内に蓄積されていた装置本体１外部の空気を貯留する時に膨張する一方、この貯留部２６内に貯留された空気を装置本体１内部に排気させる時に収縮する膨張収縮可能なものを用いることができる。
【００４０】
ここで、このような貯留部２６を設けた場合において、上記のように給紙カセット２を装置本体１内に挿入させて装着させて、拡張された状態にある第１拡張収縮部材２１を収縮させ、第１拡張収縮部材２１内に収容された装置本体１外部の空気を貯留部２６に貯留させるにあたっては、上記の制御装置２７により、この貯留部２６の出口側における開閉部材２６ｂを閉じる一方、入口側における開閉部材２６ａを開け、第１拡張収縮部材２１内に蓄積されていた装置本体１外部の空気をこの貯留部２６内に導き、装置本体１外部の空気を貯留部２６内に貯留させた後、制御装置２７により貯留部２６の入口側における開閉部材２６ａを閉じるようにする。
【００４１】
そして、例えば、装置本体１の内部の温度が上昇したことをセンサー（図示せず）等によって検知した場合に、上記の制御装置２７により貯留部２６の出口側における開閉部材２６ｂを開け、この貯留部２６内に蓄積された装置本体１外部の空気を、上記の案内路２４を通して各イメージングカートリッジ１０Ａ〜１０Ｄ等に吹き付けるようにする。
【００４２】
（実施形態２）
この実施形態２の画像形成装置においては、上記の実施形態１における画像形成装置における第１給排気手段２０に代えて、図５及び図６に示すように、上記の給紙カセット２を装置本体１内から取り出す際に、装置本体１内部の空気を給気する一方、給紙カセット２を装置本体１内に挿入させる際に、給気された装置本体１内部の空気を装置本体１の外部に排気させる第２給排気手段３０を設けるようにした。
【００４３】
そして、この実施形態においては、上記の第２給排気手段３０として、給紙カセット２の挿入方向先端側における装置本体１内に、給紙カセット２の出し入れにより拡張・収縮する蛇腹状になった第２拡張収縮部材３１を設けるようにしている。そして、この第２拡張収縮部材３１の内部に装置本体１内部の空気を導いて給気させる排気用案内路３２を、第１弁３３を介して第２拡張収縮部材３１に接続させると共に、この第２拡張収縮部材３１の内部に給気された装置本体１内部の空気を装置本体１外部に排気させる排気路３４を、第２弁３５を介して第２拡張収縮部材３１に接続させ、さらにこの排気路３４から装置本体１外部に排気させる部分に、装置本体１内部の空気に含まれる埃等を除去するフィルター３６を設けている。
【００４４】
ここで、図５に示すように、給紙カセット２を装置本体１内から引き出す場合には、給紙カセット２により押されて収縮された状態になっていた第２拡張収縮部材３１が開放されて、この第２拡張収縮部材３１の内部に吸引力が作用し、これにより、上記の第１弁３３が開放される一方、上記の第２弁３５が閉じた状態になる。そして、上記の第２拡張収縮部材３１の吸引力により、上記の排気用案内路３２を通して、この第２拡張収縮部材３１内に装置本体１内部の熱くなった空気や埃等を含む空気が給気され、この第２拡張収縮部材３１が拡張されて、装置本体１内部の空気が、この第２拡張収縮部材３１内に収容され、その後、上記の第１弁２３が閉じた状態になる。
【００４５】
一方、図６に示すように、給紙カセット２を装置本体１内に挿入させて装着させる場合には、拡張された状態にある上記の第２拡張収縮部材３１がこの給紙カセット２によって押され、この第２拡張収縮部材３１に圧力が加わり、これにより、上記の第１弁２３が閉じた状態で、上記の第２弁２５が開放される。そして、拡張された状態にある第２拡張収縮部材３１が収縮されて、この第２拡張収縮部材３１内に収容されていた装置本体１内部の空気が、上記の排気路３４を通してフィルター３６に導かれ、このフィルター３６により装置本体１内部の空気に含まれている埃等を除去されて、装置本体１の外部に排気されるようになる。
【００４６】
このようにすると、装置本体１内部の熱くなった空気が装置本体１の外部に排気されて、装置本体１内が冷却されると共に、装置本体１内部の埃等も除去されるようになる。
【００４７】
また、上記の実施形態１、２における画像形成装置においては、給紙カセット２を装置本体１内から取り出す際に、装置本体１外部の空気を給気する一方、給紙カセット２を装置本体１内に挿入させる際に、給気された装置本体１外部の空気を装置本体１内部に排気させる第１給排気手段２０と、給紙カセット２を装置本体１内から取り出す際に、装置本体１内部の空気を給気する一方、給紙カセット２を装置本体１内に挿入させる際に、給気された装置本体１内部の空気を装置本体１の外部に排気させる第２給排気手段３０との何れか一方を設けるようにしただけであるが、図７に示すように、装置本体１内に、上記の第１給排気手段２０と第２給排気手段３０との両方を設けるようにすることも可能である。
【００４８】
そして、このように装置本体１内に、第１給排気手段２０と第２給排気手段３０との両方を設けると、装置本体１内部の冷却が効率よく行えるようになると共に、装置本体１内部における埃等がより効率よく装置本体１内から除去されるようになる。
【００４９】
また、各実施形態における画像形成装置において、給紙カセット２を装置本体１に出し入れするにあたっては、給紙カセット２に収容された記録媒体Ｓを交換したり、補充したりする場合の他に、装置本体１の内部の温度をセンサー（図示せず）等によって検知し、装置本体１の内部の温度が所定温度以上になった場合には、給紙カセット２の出し入れを指示する表示や警告を行い、これに基づいて給紙カセット２を装置本体１に出し入れさせるようにすることもできる。
【符号の説明】
【００５０】
１  装置本体、２  給紙カセット、３  中間転写ベルト、４  給紙ローラー、５  タイミングローラー、６  転写ローラー、７  第２クリーニング装置、８  定着装置、９  排紙ローラー
１０Ａ〜１０Ｄ  イメージングカートリッジ、１１  感光体、１２  帯電装置、１３  露光装置、１４  現像装置、１５  クリーニング装置
２０  第１給排気手段
２１  第１拡張収縮部材
２２  外気導入路
２３  第１弁
２４  案内路
２５  第２弁
２６  貯留部
２７  制御手段、２７ａ，２７ｂ  開閉部材、２７ｃ  制御装置
３０  第２給排気手段
３１  第２拡張収縮部材
３２  排気用案内路
３３  第１弁
３４  排気路
３５  第２弁
３６  フィルター
Ｓ  記録媒体
【図１】
2013148628.tif 000003
【図２】
2013148628.tif 000004
【図３】
2013148628.tif 000005
【図４】
2013148628.tif 000006
【図５】
2013148628.tif 000007
【図６】
2013148628.tif 000008
【図７】
2013148628.tif 000009